(57)【要約】【課題】生体情報の検出精度を向上させることができる生体情報検出センサー及び生体情報測定装置を提供する。【解決手段】生体の生体情報を検出する生体情報検出センサーは、基板と、基板に設けられるセンサー部と、を備え、センサー部は、生体に照射される光を出射する発光部と、生体にて反射された光を受光する受光部と、発光部及び受光部の間に配置される遮光部と、生体に接触し、発光部、受光部及び遮光部を基板に封止する透光性の封止部と、を備える。【選択図】図３
2019136441.tif 000002
【特許請求の範囲】
【請求項１】
生体の生体情報を検出する生体情報検出センサーであって、
基板と、
前記基板に設けられるセンサー部と、を備え、
前記センサー部は、
前記生体に照射される光を出射する発光部と、
前記生体にて反射された光を受光する受光部と、
前記発光部及び前記受光部の間に配置される遮光部と、
前記生体に接触し、前記発光部、前記受光部及び前記遮光部を前記基板に封止する透光性の封止部と、を備えることを特徴とする生体情報検出センサー。
【請求項２】
請求項１に記載の生体情報検出センサーにおいて、
前記発光部及び前記受光部のどちらかは、ベアチップであることを特徴とする生体情報検出センサー。
【請求項３】
請求項１又は請求項２に記載の生体情報検出センサーにおいて、
前記発光部は、第１発光部と第２発光部とを有し、
前記受光部は、前記第１発光部と前記第２発光部との間に設けられ、
前記遮光部は、前記第１発光部と前記受光部との間、及び、前記第２発光部と前記受光部との間に設けられることを特徴とする生体情報検出センサー。
【請求項４】
請求項１から請求項３のいずれか一項に記載の生体情報検出センサーにおいて、
前記遮光部は、前記基板に垂直な方向から見て、前記受光部を囲むことを特徴とする生体情報検出センサー。
【請求項５】
請求項１から請求項４のいずれか一項に記載の生体情報検出センサーにおいて、
前記遮光部における前記基板からの突出方向側の先端部の位置は、前記封止部において前記発光部から出射された光が外部に出射される面の位置と略一致していることを特徴とする生体情報検出センサー。
【請求項６】
請求項１から請求項５のいずれか一項に記載の生体情報検出センサーにおいて、
前記封止部において前記発光部から出射された光が外部に出射される面は、曲面であることを特徴とする生体情報検出センサー。
【請求項７】
請求項１から請求項５のいずれか一項に記載の生体情報検出センサーにおいて、
前記封止部において前記発光部から出射された光が外部に出射される面は、平面であることを特徴とする生体情報検出センサー。
【請求項８】
請求項１から請求項７のいずれか一項に記載の生体情報検出センサーを備えることを特徴とする生体情報測定装置。
【発明の詳細な説明】
【技術分野】
【０００１】
本発明は、生体情報検出センサー及び生体情報測定装置に関する。
【背景技術】
【０００２】
従来、被験者の生体情報を検出及び測定する生体情報測定装置が知られている。このような生体情報測定装置として、被験者の脈波を測定する脈波センサーが知られている（例えば、特許文献１参照）。
特許文献１に記載された脈波センサーは、本体ユニットと、本体ユニットの両端部に取り付けられて生体における手首に巻き回されるベルトと、を備え、本体ユニットは、脈波データを取得する光センサー部を有する。
光センサー部は、ケース、遮光壁及び透光板と、生体に光を照射する発光部と、生体内を透過した光を検出する受光部と、を有し、発光部及び受光部は、生体に対して同じ側に設けられている。ケースは、発光部及び受光部を収納する枡形状の部材であり、透光板は、ケースの開口面を塞いで、本体ユニットにおいて生体と対向する側の面と面一となるように設けられる。
【先行技術文献】
【特許文献】
【０００３】
【特許文献１】特開２０１３−６３２０５号公報
【発明の概要】
【発明が解決しようとする課題】
【０００４】
しかしながら、特許文献１に記載された光センサー部では、遮光壁の厚さに加え、透光板の厚さが光センサー部全体の厚さになる。光センサー部の厚さが厚いと、発光部から生体までの距離、及び、生体から受光部までの距離が長くなることから、光の減衰が生じやすく、受光部での受光光量が低下しやすいので、検出精度が低下するという問題がある。
【０００５】
本発明は、上記課題の少なくとも一部を解決することを目的としたものであり、生体情報の検出精度を向上させることができる生体情報検出センサー及び生体情報測定装置を提供することを目的の１つとする。
【課題を解決するための手段】
【０００６】
本発明の第１態様に係る生体情報検出センサーは、生体の生体情報を検出する生体情報検出センサーであって、基板と、前記基板に設けられるセンサー部と、を備え、前記センサー部は、前記生体に照射される光を出射する発光部と、前記生体にて反射された光を受光する受光部と、前記発光部及び前記受光部の間に配置される遮光部と、前記生体に接触し、前記発光部、前記受光部及び前記遮光部を前記基板に封止する透光性の封止部と、を備えることを特徴とする。
【０００７】
なお、封止とは、封止材料によって封止対象を内部に包み込むことを言うが、本明細書においては、封止対象を完全に内部に包み込むことに限らず、封止対象の一部が外側に突出している場合も含む。例えば、上記構成では、発光部及び受光部は、封止部内に包み込まれていれば、遮光部において基板とは反対側の端部が封止部の外部に僅かに突出していてもよい。
このような構成によれば、発光部、受光部及び遮光部は、生体と接触する封止部によって基板に封止されている。これによれば、発光部、受光部及び遮光部を保護しつつ、発光部及び受光部と、封止部において生体と接触する接触面との距離を短くでき、ひいては、発光部及び受光部と生体との距離を短くできる。このため、発光部から生体に照射される光の減衰、及び、生体から受光部に入射される光の減衰を抑制できるので、受光部での受光光量の低下を抑制できる。従って、生体情報の検出精度を高めることができる。
また、遮光部は、発光部及び受光部とともに封止部によって封止される。これによれば、遮光部を封止部外に別途設ける必要がない。従って、発光部及び受光部と接触面との距離を短くできることと併せて、生体情報検出センサーの薄型化を図ることができる。
【０００８】
ここで、発光部と受光部との間の寸法が短いほど、発光部から出射された光が生体を介して受光部に到達する光路長が短くなるので、上記光の減衰は生じにくい。しかしながら、発光部と受光部とを個別に封止すると、発光部と受光部との間の寸法が長くなりやすい。そして、発光部と受光部との間に遮光部を設けると、発光部と受光部との間の寸法は更に長くなる。
これに対し、発光部、受光部及び遮光部は、１つの封止部によって封止される。これによれば、互いに近い位置に配置した発光部、受光部及び遮光部をまとめて封止することによって、発光部と受光部との間の寸法を短くできる。従って、上記光の減衰を生じにくくすることができ、生体情報の検出精度を確実に向上させることができる。
【０００９】
上記第１態様では、前記発光部及び前記受光部のどちらかは、ベアチップであることが好ましい。
ここで、ベアチップは、パッケージ化されていない素子を示す。例えば、発光部を構成するベアチップとしては、パッケージ化されていないＬＥＤ（Light Emitting Diode）素子や、パッケージ化されていない有機ＥＬ（Electro-Luminescence）素子が挙げられる。また例えば、受光部を構成するベアチップとしては、パッケージ化されていないＰＤ（Photodiode）素子が挙げられる。そして、発光部及び受光部のどちらかがベアチップであるとは、発光部のみがベアチップである場合と、受光部のみがベアチップである場合と、発光部及び受光部のそれぞれがベアチップである場合とを含む。
このような構成によれば、ベアチップは、パッケージ化されたチップより厚さ寸法（チップが基板に実装された場合の基板からの起立寸法）が小さいので、封止部の厚さ寸法を小さくできる。従って、生体情報検出センサーを更に薄型化できる。
【００１０】
上記第１態様では、前記発光部は、第１発光部と第２発光部とを有し、前記受光部は、前記第１発光部と前記第２発光部との間に設けられ、前記遮光部は、前記第１発光部と前記受光部との間、及び、前記第２発光部と前記受光部との間に設けられることが好ましい。
このような構成によれば、第１発光部及び第２発光部のうち、生体情報の検出に適した位置の発光部を用いることによって、生体情報の検出精度を高めることができる。一方、第１発光部及び第２発光部のそれぞれを用いることによって、受光部での受光光量を高めることができるので、この場合でも、生体情報の検出精度を高めることができる。
また、遮光部によって、第１発光部から受光部に直接向かう光、及び、第２発光部から受光部に直接向かう光を遮蔽できる。従って、生体を介していない光が受光部に入射されてしまうことを抑制できるので、生体情報の検出精度をより高めることができる。
【００１１】
上記第１態様では、前記遮光部は、前記基板に垂直な方向から見て、前記受光部を囲むことが好ましい。
ここで、発光部及び受光部は、封止部によって封止されているため、発光部から出射された光の一部が、内面反射を繰り返して封止部内を進行し、受光部において発光部側とは異なる側方から受光部に入射されてしまう可能性がある。
これに対し、上記構成によれば、発光部から出射されて、生体を介さずに封止部内を進行して受光部に向かう光を遮光部によって遮蔽できるだけでなく、封止部に入射されて受光部に向かう外乱光をも遮蔽できる。従って、生体情報の検出精度をより高めることができる。
【００１２】
上記第１態様では、前記遮光部における前記基板からの突出方向側の先端部の位置は、前記封止部において前記発光部から出射された光が外部に出射される面の位置と略一致していることが好ましい。
なお、封止部において発光部から出射された光が外部に出射される面は、生体と接触可能な接触面であり、換言すると、封止部において発光部及び受光部と生体との間に位置し、発光部から出射された光を生体に向けて出射し、生体にて反射された光が入射する面である。以下、この面を、封止部における入出射面とする。
ここで、発光部が所定の出射角で光を出射する場合、発光部から出射された光のうち一部の光は、上記入出射面にて内面反射されるおそれがある。このような場合、遮光部における上記先端部が上記入出射面より基板側に位置していると、上記一部の光が遮光部を乗り越えて受光部に入射される可能性が生じる。
これに対し、遮光部における上記先端部の位置が、上記入出射面の位置と略一致していることにより、上記入出射面にて内面反射された光を遮光部によって遮蔽でき、内面反射された光が受光部に入射されることを抑制できる。従って、生体情報の検出精度の低下を抑制できる。
【００１３】
上記第１態様では、前記封止部において前記発光部から出射された光が外部に出射される面は、曲面であることが好ましい。
このような構成によれば、封止部における上記面をレンズ形状とすることによって、封止部にレンズ機能を付与できる。このため、例えば封止部における上記面を凸曲面又は凹曲面とすることによって、発光部から出射された光を生体に拡散又は集束するように出射できる。また例えば封止部における上記面を凹曲面とすることによって、生体にて反射された光を受光部に集光できる。このように、生体情報検出センサーの用途に応じて、発光部から出射された光を生体に効果的に照射できる他、生体から入射される光を効率よく受光部に入射させることができる。従って、生体情報の検出精度を一層高めることができる。
【００１４】
上記第１態様では、前記封止部において前記発光部から出射された光が外部に出射される面は、平面であることが好ましい。
ここで、封止部の厚さ寸法は、封止部における上記面の断面形状にも依存する。このため、封止部における上記面を平面とすることにより、封止部の厚さ寸法を小さくでき、ひいては、生体情報検出センサーの厚さ寸法を小さくできる。従って、生体情報検出センサーの一層の薄型化を図ることができる。
【００１５】
本発明の第２態様に係る生体情報測定装置は、上記生体情報検出センサーを備えることを特徴とする。
このような構成によれば、上記第１態様に係る生体情報検出センサーと同様の効果を奏することができ、これにより、生体情報の測定精度を高めることができる他、生体情報測定装置の薄型化を図ることができる。
【図面の簡単な説明】
【００１６】
【図１】本発明の第１実施形態に係る生体情報測定装置を示す正面図。
【図２】上記第１実施形態における生体情報測定装置の背面部を示す図。
【図３】上記第１実施形態における生体情報測定装置の内部構成を示す図。
【図４】上記第１実施形態におけるリアケース及び生体情報検出センサーを示す斜視図。
【図５】上記第１実施形態における生体情報検出センサーを光出射側から見た斜視図。
【図６】上記第１実施形態におけるリアケースに対する生体情報検出センサーの配置を示す斜視図。
【図７】上記第１実施形態における生体情報検出センサーを側方から見た図。
【図８】上記第１実施形態における生体情報検出センサーが配置されるリアケースを示す斜視図。
【図９】本発明の第２実施形態に係る生体情報測定装置の内部構成を示す図。
【図１０】本発明の第３実施形態に係る生体情報測定装置が備える生体情報検出センサーを示す側面図。
【発明を実施するための形態】
【００１７】
［第１実施形態］
以下、本発明の第１実施形態について、図面に基づいて説明する。
［生体情報測定装置の概略構成］
図１は、本実施形態に係る生体情報測定装置１Ａを示す正面図である。
本実施形態に係る生体情報測定装置１Ａ（以下、測定装置１Ａと略す場合がある）は、ユーザーの体に装着されて利用されるウェアラブル機器であり、ユーザーの生体情報を測定する。具体的に、測定装置１Ａは、ユーザーの手首等の被装着部位に装着されて利用され、生体情報の１つであるユーザーの脈波を検出し、生体情報の他の１つである脈拍数を測定する。そして、測定装置１Ａは、後述する生体情報検出センサー５Ａの構成に特徴の１つを有する。
測定装置１Ａは、図１に示すように、ハウジング２及びバンドＢＮ１，ＢＮ２を備える。
【００１８】
なお、以下の説明では、ハウジング２の正面部２１から背面部２２に向かう方向を＋Ｚ方向とし、＋Ｚ方向に対してそれぞれ直交し、かつ、互いに直交する二方向を＋Ｘ方向及び＋Ｙ方向とする。これらのうち、＋Ｘ方向を、正面部２１に対向する位置から見て９時方向とし、＋Ｙ方向を１２時方向とする。また、図示を省略するが、＋Ｚ方向とは反対方向を−Ｚ方向とする。−Ｘ方向及び−Ｙ方向も同様である。なお、＋Ｚ方向は、後述する生体情報検出センサー５Ａのセンサー部５２Ａを構成する発光部５３が光を主に出射する方向でもあり、−Ｚ方向は、生体にて反射された光が受光部５４に主に入射する方向でもある。
【００１９】
バンドＢＮ１は、ハウジング２の＋Ｙ方向側の端部から＋Ｙ方向に延出し、バンドＢＮ２は、ハウジング２の−Ｙ方向側の端部から−Ｙ方向に延出している。バンドＢＮ１，ＢＮ２が中留（図示省略）によって互いに連結されることによって、ハウジング２は、被装着部位に装着される。なお、バンドＢＮ１，ＢＮ２は、ハウジング２と一体的に形成されていてもよい。
【００２０】
ハウジング２は、−Ｚ方向側に位置するフロントケース２Ａ、及び、＋Ｚ方向側に位置するリアケース２Ｂ（図２参照）を有し、これらが組み合わされて構成される。ハウジング２は、正面部２１、背面部２２（図２参照）及び側面部２３を有する。
正面部２１は、ハウジング２において−Ｚ方向側に位置する部位であり、フロントケース２Ａによって構成される。正面部２１は、測定装置１Ａを装着したユーザーによって視認可能な部位である。正面部２１の略中央には、表示部ＤＰが設けられており、表示部ＤＰは、カバー２１１によって覆われている。
側面部２３において−Ｘ方向側の部位には、操作部を構成する一対のボタンＢＴが設けられている。
【００２１】
図２は、測定装置１Ａの背面部２２を示す図である。
背面部２２は、ハウジング２において＋Ｚ方向側に位置する部位であり、リアケース２Ｂによって構成される。背面部２２は、測定装置１Ａがユーザーに装着された際にハウジング２においてユーザーの体に接触する接触部である。
背面部２２は、図２に示すように、中央側が外縁側に比べて＋Ｚ方向側に膨出した湾曲形状に形成されている。背面部２２の中央には、ハウジング２内に収容された生体情報検出センサー５Ａのセンサー部５２Ａを外部に露出させる略矩形状の開口部２２１が形成されている。この生体情報検出センサー５Ａについては、後に詳述する。
【００２２】
［ハウジングの内部構成］
図３は、測定装置１Ａの内部構成を示す図であり、詳しくは、ＹＺ平面と平行で、測定装置１Ａの中央を通る断面を−Ｘ方向側から見た図である。
測定装置１Ａは、ハウジング２及び表示部ＤＰの他、図３に示すように、それぞれハウジング２に収容される処理基板３、電池４、生体情報検出センサー５Ａ及び接続部材６を有する。以下、生体情報検出センサーを単に「センサー」と略す場合がある。
電池４は、測定装置１Ａを動作させる電力を供給する。この電池４は、本実施形態では、処理基板３による制御の下、外部から供給される電力によって充電される二次電池であるが、これに限らず、一次電池であってもよい。
【００２３】
［処理基板の構成］
処理基板３は、測定装置１Ａ全体を制御する制御基板であり、詳しい図示を省略するが、リジッド基板上に複数の回路素子が実装された構成を有する。このような回路素子として、処理基板３は、加速度センサー、無線通信回路、表示制御回路、記憶回路及び制御回路を有する。
【００２４】
加速度センサーは、測定装置１Ａに作用する加速度を検出し、検出された加速度の変化を示す信号をユーザーの体動を示す体動信号として制御回路に出力する。なお、体動信号は、制御回路がセンサー５Ａから入力される脈波信号を解析して脈拍数を決定する際に行う体動ノイズの除去にも利用される。
無線通信回路は、制御回路による制御の下、センサー５Ａ及び加速度センサーによる検出結果に基づく生体情報や体動情報を外部機器に送信する他、外部機器から受信される情報を制御回路に出力する。
表示制御回路は、制御回路による制御の下、表示部ＤＰに所定の情報を表示させる。例えば、表示制御回路は、制御回路によって解析された脈拍数を表示部ＤＰに表示させる。
【００２５】
記憶回路は、フラッシュメモリー等の不揮発性メモリーによって構成され、測定装置１Ａの動作に必要なプログラム及びデータを記憶している。この他、記憶回路は、センサー５Ａ及び加速度センサーによる検出結果、及び、制御回路による解析結果を記憶する。
制御回路は、ＣＰＵ（Central Processing Unit）等の演算処理回路によって構成され、自律的に、或いは、ボタンＢＴ等の操作部に対するユーザーの入力操作に応じて測定装置１Ａ全体を制御する。例えば、制御回路は、センサー５Ａから入力される脈波信号、及び、加速度センサーから入力される体動信号に基づいて、ユーザーの脈拍数を決定する。また、制御回路は、決定された脈拍数を記憶回路に記憶させる他、必要に応じて、脈拍数を表示部ＤＰに表示させたり、無線通信回路によって外部機器に送信したりする。
【００２６】
［生体情報検出センサーの構成］
図４は、リアケース２Ｂ及びセンサー５Ａを＋Ｚ方向側から見た斜視図である。また、図５は、センサー５Ａを＋Ｚ方向側から見た斜視図である。なお、図４及び図５においては、センサー部５２Ａにおける発光部５３、受光部５４及び遮光部５５の配置を分かりやすくするために、センサー部５２Ａを構成する封止部５６の図示を省略している。
センサー５Ａは、測定装置１Ａに例示される、生体情報を測定する生体情報測定装置に用いられる生体情報検出センサーであり、生体（例えばユーザーの体）に光を照射して、生体にて反射された反射光の受光光量の変化を示す信号を、生体の脈波を示す脈波信号として出力する。このセンサー５Ａは、図４及び図５に示すように、基板５１、センサー部５２Ａ、コネクター５７及び複数の素子５８を有する。
これらのうち、複数の素子５８は、抵抗、トランジスター及びコンデンサー等の回路素子であり、基板５１の実装面５１Ａに実装されている。
【００２７】
［基板の構成］
基板５１は、＋Ｚ方向側の面である実装面５１Ａに、センサー部５２Ａ、コネクター５７及び複数の素子５８が実装され、これらを支持する基板である。本実施形態では、基板５１は、＋Ｙ方向が長く、＋Ｘ方向が短い矩形状のリジッド基板である。
基板５１は、−Ｙ方向側の端部に、＋Ｙ方向側に凹む凹部５１１を有する。この凹部５１１は、センサー５Ａと処理基板３とを接続する接続部材６が挿通する隙間ＧＰ（図３参照）を、後述する凹部２２５との間に形成する。なお、本実施形態では、接続部材６は、ＦＰＣ（フレキシブルプリント基板）により構成されているが、ケーブルやハーネス等の導通部材であってもよい。
このような基板５１において実装面５１Ａとは反対側の面５１Ｂには、回路素子が配設されていない。しかしながら、面５１Ｂに、所定の機能を有する回路素子が配設されていてもよい。
【００２８】
［センサー部の構成］
センサー部５２Ａは、実装面５１Ａにおける略中央に位置し、生体に対する光の照射、及び、生体にて反射された光の受光を行い、受光光量に応じた信号を出力する。センサー部５２Ａは、発光部５３（５３Ａ，５３Ｂ）、受光部５４、遮光部５５及び封止部５６（図６参照）を有する。
【００２９】
［発光部の構成］
発光部５３は、生体に照射される光（検出光であり、例えば緑色光）を出射する。発光部５３は、＋Ｙ方向に沿い背面部２２の中央を通る直線上に、受光部５４を挟むように、所定間隔を隔てて２つ設けられている。換言すると、発光部５３は、＋Ｙ方向側に位置する発光部５３Ａと、−Ｙ方向側に位置する発光部５３Ｂと、を有する。発光部５３Ａ，５３Ｂのうち、一方は第１発光部であり、他方は第２発光部に相当する。
【００３０】
発光部５３Ａ，５３Ｂは、それぞれ、本実施形態ではＬＥＤ（Light Emitting Diode）等の発光素子（図示省略）と、発光素子を囲むように被覆する被覆部５３１と、発光素子を覆うように被覆部５３１に設けられるレンズ５３２と、を有する。すなわち、発光部５３Ａ，５３Ｂは、パッケージ化されたＬＥＤチップである。
被覆部５３１は、詳しい図示を省略するが、発光素子の発光面と対向する位置から見て、発光素子の四方（±Ｘ方向側及び±Ｙ方向側）を囲む反射部と、発光素子及び反射部の間に充填される密封用樹脂と、を有する。発光素子から出射された光のうち、±Ｘ方向側及び±Ｙ方向側に出射された光は反射部によって＋Ｚ方向側に反射されて、レンズ５３２に入射される。なお、発光素子から＋Ｚ方向側に出射された光も、レンズ５３２に入射される。このように発光素子から出射されてレンズ５３２に入射された光は、レンズ５３２によって集光されて出射される。
なお、発光部５３Ａ，５３Ｂは、それぞれ個別に点灯及び消灯を切り替えることが可能である。このため、脈波の検出に際しては、発光部５３Ａ，５３Ｂの少なくとも１つが点灯するが、必ずしも発光部５３Ａ，５３Ｂが同時に点灯する必要はない。
【００３１】
［受光部の構成］
受光部５４は、発光部５３から照射されて、生体にて反射された反射光を受光し、反射光の受光光量の変化を示す信号を、脈波の波形を示す脈波信号として出力する。受光部５４は、２つの発光部５３Ａ，５３Ｂを結ぶ＋Ｙ方向において、２つの発光部５３Ａ，５３Ｂの間の中央に設けられている。すなわち、発光部５３Ａの中心と受光部５４の中心との間の寸法は、発光部５３Ｂの中心と受光部５４の中心との間の寸法と同じであり、受光部５４は、背面部２２の中央に配置されている。
受光部５４は、詳しい図示を省略するが、ＰＤ（Photodiode）である受光素子と、当該受光素子を被覆する被覆部と、角度制限フィルターと、を有する。すなわち、受光部５４は、パッケージ化されたＰＤチップである。
なお、角度制限フィルターは、角度制限フィルターを構成するフィルター層の法線に対する入射光の角度である入射角が所定値未満である光を透過させ、入射角が所定値以上である光の透過を抑制するフィルターである。このような角度制限フィルターが設けられていることによって、ノイズとなる外乱光が受光部５４に入射されることが抑制される。なお、本実施形態では、上記所定値は３０°に設定されている。
一方、受光部５４は、発光部５３から出射された光を透過して、受光部５４によって受光される光の波長を制限する波長制限フィルターを有していてもよい。
【００３２】
［遮光部の構成］
遮光部５５は、発光部５３から出射されて、生体を介さずに受光部５４に向かう光を遮蔽する。遮光部５５は、発光部５３（５３Ａ，５３Ｂ）と受光部５４との間に配置されている。具体的に、遮光部５５は、第１遮蔽部５５１、第２遮蔽部５５２、第３遮蔽部５５３及び第４遮蔽部５５４を有し、基板５１に対して垂直な方向（＋Ｚ方向）から見て、各遮蔽部５５１〜５５４によって受光部５４を囲む矩形枠状に形成されている。
第１遮蔽部５５１は、受光部５４に対して＋Ｙ方向側に位置し、発光部５３Ａと受光部５４との間に位置する。換言すると、第１遮蔽部５５１は、受光部５４に対して発光部５３Ａ側であり、発光部５３Ｂ側とは反対側となる位置に位置する。
第２遮蔽部５５２は、受光部５４に対して−Ｙ方向側に位置し、発光部５３Ｂと受光部５４との間に位置する。換言すると、第２遮蔽部５５２は、受光部５４に対して発光部５３Ｂ側であり、発光部５３Ａ側とは反対側となる位置に位置する。
第３遮蔽部５５３は、受光部５４に対して＋Ｘ方向側に位置し、第４遮蔽部５５４は、受光部５４に対して−Ｘ方向側に位置する。
【００３３】
更に、遮光部５５は、第３遮蔽部５５３と接続される屈曲部５５５と、第４遮蔽部５５４と接続される屈曲部５５６と、を有する。これら屈曲部５５５，５５６は、ＸＹ平面に沿う平板状の取付部であり、−Ｚ方向側の面が実装面５１Ａに半田等によって取り付けられることにより、実装面５１Ａに遮光部５５が取り付けられる。
【００３４】
［封止部の構成］
図６は、リアケース２Ｂに対するセンサー５Ａの配置を示す斜視図であり、換言すると、リアケース２Ｂ及びセンサー５Ａを示す分解斜視図である。また、図７は、センサー５Ａを側方（−Ｘ方向側）から見た図である。
封止部５６は、図６及び図７に示すように、発光部５３、受光部５４及び遮光部５５を基板５１の実装面５１Ａに封止して、これら発光部５３、受光部５４及び遮光部５５を保護する。封止部５６は、センサー５Ａがリアケース２Ｂに取り付けられる際に、リアケース２Ｂに形成された開口部２２１を介してハウジング２の外部に露出される。
このような封止部５６は、発光部５３から出射された光、及び、受光部５４に入射される光を透過する透光性の封止樹脂によって形成されている。このため、発光部５３から出射された光は、封止部５６を介してハウジング２の外部に出射され、また、受光部５４にて受光される光は、封止部５６を介して受光部５４に入射される。
なお、封止とは、封止される対象である封止対象の全てが封止部５６内に包み込まれることを必ずしも意味するわけではない。例えば、封止部５６は、封止対象である発光部５３及び受光部５４を封止部５６内に封入していれば、同じく封止対象である遮光部５５の一部が封止部５６外に僅かに突出していてもよい。
【００３５】
このような封止部５６は、＋Ｚ方向側の面であり、測定装置１Ａが生体に装着された際に生体に接触可能な接触面５６１を有する。この接触面５６１は、発光部５３から出射された光が主に封止部５６外に出射される出射面でもあり、また、受光部５４に入射される光が外部（生体）から主に入射される入射面でもある。すなわち、接触面５６１は、封止部５６に対する光の入出射面である。
このような接触面５６１は、図７に示すように、＋Ｘ方向及び＋Ｙ方向における中央部が外縁側より＋Ｚ方向に膨出した凸曲面状に形成されている。この接触面５６１の形状は、発光部５３から出射された光を集光して生体に照射することを意図した形状である。
【００３６】
ここで、遮光部５５における実装面５１Ａからの突出方向である＋Ｚ方向の先端部の位置は、発光部５３（５３Ａ，５３Ｂ）における＋Ｚ方向側の端部より更に＋Ｚ方向側に位置するだけでなく、接触面５６１と略同じ位置である。例えば、図７に示すように、第１遮蔽部５５１における＋Ｚ方向の先端部５５１１の位置は、発光部５３Ａにおける＋Ｚ方向側の端部より更に＋Ｚ方向側に位置するだけでなく、接触面５６１と略同じ位置である。また、第２遮蔽部５５２における＋Ｚ方向の先端部５５２１の位置は、発光部５３Ｂにおける＋Ｚ方向側の端部より更に＋Ｚ方向側に位置するだけでなく、接触面５６１と略同じ位置である。なお、図示を省略するが、第３遮蔽部５５３及び第４遮蔽部５５４における＋Ｚ方向側の先端部の位置も、接触面５６１と略同じ位置である。
これは、遮光部５５の先端部（例えば先端部５５１１，５５２１）の位置が、接触面５６１より−Ｚ方向側に位置していると、発光部５３Ａ，５３Ｂから出射された光が、界面である接触面５６１にて内面反射され、遮光部５５を乗り越えて受光部５４に入射されてしまう可能性があるためである。このように内面反射された光も遮蔽されるように、遮光部５５の先端部の位置は、接触面５６１と略同じ位置に設定されている。なお、遮光部５５の先端部が、封止部５６（接触面５６１）の外部に突出している場合でも、上記のように、遮光部５５は封止部５６によって封止されているとする。
このように、接触面５６１の位置と遮光部５５の先端部の位置とを合わせるには、これらの位置が略一致するように、型等を用いて封止部５６を成形する手法や、形成された封止部５６を削る手法を採用できる。
【００３７】
［コネクターの構成］
コネクター５７は、図５〜図７に示すように、実装面５１Ａにおいてセンサー部５２Ａに対する−Ｙ方向側の部位に設けられ、接続部材６と接続される接続部としての機能を有する回路素子である。コネクター５７は、受光部５４から出力された脈波信号を、接続部材６を介して処理基板３に出力する。
なお、本実施形態では、脈波信号を処理する回路素子は、処理基板３に設けられているが、脈波信号を処理するＡＦＥ（Analog Front End）が基板５１に設けられていてもよい。このようなＡＦＥは、脈波信号に対して増幅、ノイズ除去及びＡ／Ｄ変換等の処理を行う。すなわち、ＡＦＥは、一次増幅部、フィルター部、二次増幅部、Ａ／Ｄ変換部及び通信部を有する。このようなＡＦＥが基板５１に設けられている場合には、コネクター５７は、ＡＦＥによって処理された脈波信号を、接続部材６を介して処理基板３に出力する。なお、ＡＦＥは、上記した複数の素子５８の配置位置に構成できる。
【００３８】
［リアケースの構成］
図８は、センサー５Ａが配置されるリアケース２Ｂの構成を示す斜視図である。換言すると、図８は、リアケース２Ｂを光出射側とは反対側（−Ｚ方向側）から見た斜視図である。
リアケース２Ｂは、上記のように、処理基板３、電池４及びセンサー５Ａを収容するハウジング２の背面部２２を構成する。リアケース２Ｂは、図８に示すように、−Ｚ方向側の面２Ｂ１（背面部２２の内面である面２Ｂ１）の略中央に、光出射側の面を＋Ｚ方向側に向けるようにして−Ｚ方向側からセンサー５Ａが配置される配置部２２２を有する。
【００３９】
配置部２２２は、−Ｚ方向側から見てセンサー５Ａの基板５１に応じた矩形状で、＋Ｚ方向側に凹む凹状に形成されている。この配置部２２２において＋Ｚ方向側の部位である底部２２２Ａは、基板５１の実装面５１Ａと当接し、センサー５Ａを支持する。
底部２２２Ａにおける中央には、センサー部５２Ａをハウジング２の外部に露出させる上記開口部２２１が形成され、開口部２２１に対する±Ｙ方向側には、更に＋Ｚ方向側に凹む凹部２２３，２２４が形成されている。
＋Ｙ方向側に位置する凹部２２３は、基板５１に実装された複数の素子５８を避けるための凹部である。−Ｙ方向側に位置する凹部２２４は、基板５１に実装された上記コネクター５７を避けるための凹部である。これら凹部２２３，２２４は、実装面５１Ａに実装された回路素子を避ける第１凹部に相当する。
【００４０】
また、配置部２２２は、−Ｙ方向側の端縁に、凹部２２４と連通し、かつ、−Ｙ方向側に凹む凹部２２５を有する。凹部２２５は、コネクター５７に接続された接続部材６が−Ｚ方向側に挿通する凹部である。詳述すると、基板５１において＋Ｚ方向側の面である実装面５１Ａに位置するコネクター５７に一端が接続された接続部材６は、凹部２２５と、基板５１の凹部５１１とによって形成される隙間ＧＰを挿通して、基板５１に対して−Ｚ方向側に位置する処理基板３と接続される。これにより、センサー５Ａから出力される脈波信号は、接続部材６を介して処理基板３に出力される。このような凹部２２５は、凹部５１１とともに、コネクター５７に接続された接続部材６を避ける第２凹部に相当する。
【００４１】
［第１実施形態の効果］
以上説明した本実施形態に係る生体情報測定装置１Ａよれば、以下の効果を奏することができる。
測定装置１Ａに用いられる生体情報検出センサー５Ａは、基板５１及びセンサー部５２Ａを備える。センサー部５２Ａは、発光部５３、受光部５４及び遮光部５５と、ユーザーの体に接触し、これら発光部５３、受光部５４及び遮光部５５を基板５１に封止する透光性の封止部５６と、を備える。
これによれば、封止部５６によって、発光部５３、受光部５４及び遮光部５５を保護しつつ、発光部５３及び受光部５４と、封止部５６の接触面５６１との距離を短くでき、ひいては、発光部５３及び受光部５４と生体との距離を短くできる。このため、発光部５３から生体に照射される光の減衰、及び、生体から受光部５４に入射される光の減衰を抑制できるので、受光部５４での受光光量の低下を抑制できる。従って、生体情報の検出精度を高めることができる。
また、遮光部５５は、発光部５３及び受光部５４とともに封止部５６によって封止される。これによれば、遮光部５５を封止部５６外に別途設ける必要がない。従って、発光部５３及び受光部５４と接触面５６１との距離を短くできることと併せて、生体情報検出センサー５Ａの薄型化を図ることができる。
【００４２】
一般的に、発光部と受光部との間の寸法が短いほど、発光部から出射された光が生体を介して受光部に到達する光路長が短くなるので、上記光の減衰は生じにくい。しかしながら、発光部と受光部とを個別に封止すると、これらを互いに離さねばならず、発光部と受光部との間の寸法が長くなりやすい。そして、発光部と受光部との間に遮光部を設ける場合には、発光部と受光部との間の寸法は更に長くなりやすい。
これに対し、発光部５３、受光部５４及び遮光部５５は、１つの封止部５６によって封止される。これによれば、互いに近い位置に配置した発光部５３、受光部５４及び遮光部５５をまとめて封止することによって、発光部５３と受光部５４との間の寸法を短くできる。従って、上記光の減衰を生じにくくすることができ、生体情報の検出精度を確実に向上させることができる。
【００４３】
発光部５３は、それぞれ第１発光部及び第２発光部としての発光部５３Ａ，５３Ｂを有する。遮光部５５の第１遮蔽部５５１は、発光部５３Ａと受光部５４との間に設けられ、第２遮蔽部５５２は、発光部５３Ｂと受光部５４との間に設けられている。これによれば、遮光部５５は、発光部５３Ａから受光部５４に直接向かう光、及び、発光部５３Ｂから受光部５４に直接向かう光を遮蔽できる。従って、生体を介していない光が受光部５４に入射されてしまうことを抑制でき、生体情報の検出精度をより高めることができる。
【００４４】
ここで、発光部５３Ａ，５３Ｂ及び受光部５４は、封止部５６によって封止されているので、例えば発光部５３Ａから出射された光の一部は、内面反射を繰り返して封止部５６内を進行し、受光部５４において発光部５３Ａとは反対側から受光部５４に入射されてしまう可能性がある。発光部５３Ｂから出射された光の一部も同様である。
これに対し、遮光部５５は、受光部５４に対して発光部５３Ａ側に設けられる第１遮蔽部５５１、及び、受光部５４に対して発光部５３Ｂ側に設けられる第２遮蔽部５５２の他、第３遮蔽部５５３及び第４遮蔽部５５４を有し、基板５１に垂直な方向である＋Ｚ方向側から見て、受光部５４を囲む枠状に形成されている。これによれば、発光部５３から出射されて、封止部５６内を進行して受光部５４に入射される光、すなわち、発光部５３から出射されて、ユーザーの体を介さずに受光部５４に向かう光を遮光部５５によって遮蔽できるだけでなく、封止部５６に入射されて受光部５４に向かう外乱光を遮蔽できる。従って、生体情報の検出精度をより高めることができる。
【００４５】
遮光部５５における＋Ｚ方向側の先端部（例えば先端部５５１１，５５２１）の位置は、封止部５６において発光部５３から出射された光が外部に出射され、ユーザーの体を介した光が入射される入出射面である上記接触面５６１の位置と略一致している。これによれば、接触面５６１にて内面反射された光を遮光部５５によって遮蔽でき、内面反射された光が受光部５４に入射されることを抑制できる。従って、生体情報の検出精度の低下を抑制できる。
【００４６】
封止部５６において上記入出射面である接触面５６１は、曲面である。詳述すると、接触面５６１は、中央が外縁より＋Ｚ方向側に突出した凸曲面である。これによれば、封止部５６を凸レンズとして機能させることができる。このため、発光部５３から出射された光を集光して生体に照射できる。従って、生体情報の検出精度を一層高めることができる。
【００４７】
ここで、血管の容積変化は、血管内圧力と血管外圧力との差が０に近いと大きくなる。換言すると、血圧に近い圧力を血管に加えると、血管の容積変化が大きくなる。この場合、血管にて反射されて受光部によって受光される反射光の受光光量に基づく信号の変化が大きくなるので、脈拍の周波数を抽出しやすくなり、脈拍数を算出しやすくなる。このため、発光部から光が照射される生体の部位には、血管に対して適した圧力が加わっていることが好ましい。
これに対し、生体と接触する接触面５６１が凸曲面であることによって、発光部５３から出射された光が照射される生体の部位に所定の圧力を加えることができる。従って、接触面５６１の曲率や突出量を調整することによって、光の照射部位に位置する血管に、脈波の検出に適した圧力を加えることができる。従って、それぞれ生体情報である脈波の検出、及び、脈拍数の決定を実施しやすくすることができる。
【００４８】
［第２実施形態］
次に、本発明の第２実施形態について説明する。
本実施形態に係る生体情報測定装置は、第１実施形態にて示した生体情報測定装置１Ａと同様の構成を有するが、発光部及び受光部の構成が異なる点で、生体情報測定装置１Ａと相違する。なお、以下の説明では、既に説明した部分と同一又は略同一である部分については、同一の符号を付して説明を省略する。
【００４９】
図９は、本実施形態に係る生体情報測定装置１Ｂの内部構成を示す図であり、詳しくは、ＹＺ平面と平行で、生体情報測定装置１Ｂの中央を通る断面を−Ｘ方向側から見た図である。
生体情報測定装置１Ｂは、図９に示すように、生体情報検出センサー５Ａに代えて生体情報検出センサー５Ｂを有する他は、生体情報測定装置１Ａと同様の構成及び機能を有する。また、生体情報検出センサー５Ｂは、センサー部５２Ａに代えてセンサー部５２Ｂを有する他は、測定装置１Ａと同様の構成及び機能を有する。
センサー部５２Ｂは、発光部５３及び受光部５４に代えて、発光部７３及び受光部７４を有する他は、上記センサー部５２Ａと同様の構成及び機能を有する。
【００５０】
発光部７３は、発光部５３と同様に、生体に照射される光（検出光であり、例えば緑色光）を出射する。発光部７３は、発光部５３と基板５１上の同じ位置にそれぞれ実装されている。すなわち、発光部７３は、＋Ｙ方向に所定の間隔を隔てて２つ設けられている。換言すると、発光部７３は、発光部７３Ａ及び発光部７３Ｂを有する。
発光部７３Ａは、センサー部５２Ｂにおいて中央に位置する受光部７４に対して＋Ｙ方向側に位置する。また、発光部７３Ｂは、受光部７４に対して−Ｙ方向側に位置する。
これら発光部７３Ａ，７３Ｂは、それぞれ本発明の第１発光部及び第２発光部に相当し、本実施形態では、ＬＥＤ（Light Emitting Diode）等の発光素子により構成されている。換言すると、発光部７３Ａ，７３Ｂは、それぞれパッケージ化されていないＬＥＤベアチップであり、基板５１上にベアチップ実装により取り付けられている。なお、ベアチップ実装としては、ワイヤーボンディング、リード線を有するフィルムを用いたＴＡＢ（tape automated bonding）、及び、バンプを用いたフリップチップが挙げられる。
【００５１】
受光部７４は、上記受光部５４と同様に、生体にて反射された反射光を受光し、反射光の受光光量に応じた信号を、脈波の波形を示す脈波信号として出力する。受光部７４は、センサー部５２Ａにおける受光部５４と同じ位置に配置される。すなわち、受光部７４は、発光部７３Ａ，７３Ｂの間に設けられ、発光部７３Ａの中心と受光部７４の中心との間の寸法は、発光部７３Ｂの中心と受光部７４の中心との間の寸法と同じであり、受光部７４は、背面部２２の中央に配置されている。
このような受光部７４は、本実施形態では、ＰＤ等の受光素子により構成されている。換言すると、受光部７４は、パッケージ化されていないＰＤベアチップであり、基板５１上にベアチップ実装により取り付けられている。
【００５２】
このようなセンサー部５２Ｂにおいても、封止部５６は、発光部７３、受光部７４及び遮光部５５を基板５１の実装面５１Ａに封止し、これらを保護する。
また、図９では詳しい図示を省略するが、センサー部５２Ｂにおいても、遮光部５５の＋Ｚ方向側の先端部の位置は、封止部５６の凸曲面状に形成された接触面５６１の位置と略一致している。
【００５３】
［第２実施形態の効果］
以上説明した本実施形態に係る測定装置１Ｂによれば、上記測定装置１Ａと同様の効果を奏することができる他、以下の効果を奏することができる。
センサー部５２Ｂにおいて、封止部５６によって遮光部５５とともに封止される発光部７３及び受光部７４は、それぞれパッケージ化されていないベアチップにより構成されている。これによれば、ベアチップは、パッケージ化されたチップより厚さ寸法（チップが基板５１に実装された場合の基板５１からの起立寸法）が小さいので、発光部５３及び受光部５４に比べて発光部７３及び受光部７４の厚さ寸法をより小さくでき、封止部５６の厚さ寸法をより小さくできる。従って、生体情報検出センサー５Ｂ、ひいては、生体情報測定装置１Ｂを一層薄型化できる。
【００５４】
なお、ベアチップによって構成された発光部７３は、主に＋Ｚ方向側を向く面から光を出射するが、±Ｘ方向側及び±Ｙ方向側の面からも光を出射する。一方、ベアチップによって構成された受光部７４は、主に＋Ｚ方向側を向く面にて光を受光するが、±Ｘ方向側及び±Ｙ方向側の面においても光を受光する。このため、発光部７３における±Ｘ方向側及び±Ｙ方向側の面から出射された光が、内面反射される等して封止部５６内を進行して、受光部７４における±Ｘ方向側及び±Ｙ方向側の面にて受光される可能性がある。
これに対し、遮光部５５が、受光部７４を±Ｘ方向側及び±Ｙ方向側にて囲む枠状に形成されていることにより、発光部７３における±Ｘ方向側及び±Ｙ方向側の面から出射され、封止部５６内を進行して受光部７４に向かう光を、遮光部５５によって遮蔽できる。従って、遮光部５５が受光部７４を囲む枠状に形成されていることによる効果を、好適に奏することができる。
【００５５】
［第３実施形態］
次に、本発明の第３実施形態について説明する。
本実施形態に係る生体情報測定装置は、第２実施形態にて示した生体情報測定装置１Ｂと同様の構成を有するが、生体情報検出センサーを構成する封止部の形状が異なる点で、生体情報測定装置１Ｂと相違する。なお、以下の説明では、既に説明した部分と同一又は略同一である部分については、同一の符号を付して説明を省略する。
【００５６】
図１０は、本実施形態に係る生体情報測定装置が備える生体情報検出センサー５Ｃを示す側面図である。詳述すると、図１０は、生体情報検出センサー５Ｃを−Ｘ方向側から見た側面図である。
本実施形態に係る生体情報測定装置は、生体情報検出センサー５Ｂに代えて生体情報検出センサー５Ｃを有する他は、生体情報測定装置１Ｂと同様の構成及び機能を有する。また、生体情報検出センサー５Ｃは、センサー部５２Ｂに代えてセンサー部５２Ｃを有する他は、生体情報検出センサー５Ｂと同様の構成及び機能を有し、センサー部５２Ｃは、封止部５６に代えて封止部７６を有する他は、センサー部５２Ｂと同様の構成及び機能を有する。
すなわち、生体情報検出センサー５Ｃは、基板５１と、基板５１の実装面５１Ａにそれぞれ配設されるセンサー部５２Ｃ、コネクター５７及び複数の素子５８を有し、センサー部５２Ｃは、発光部７３（７３Ａ，７３Ｂ）、受光部７４及び遮光部５５と、封止部７６と、を有する。
【００５７】
封止部７６は、封止部５６と同様の透光性の封止樹脂により形成され、発光部７３、受光部７４及び遮光部５５を実装面５１Ａに封止する。このような封止部７６における＋Ｚ方向側の面は、発光部７３から出射された光が出射され、生体を介した光が入射される入出射面であり、生体（例えばユーザーの体）と接触可能な接触面７６１である。この接触面７６１は、ＸＹ平面と略平行な平面（＋Ｚ方向に略直交する平面）である。
なお、このようなセンサー部５２Ｃにおいても、遮光部５５において基板５１からの突出方向の先端部である＋Ｚ方向側の先端部（例えば先端部５５１１，５５２１）の位置は、接触面７６１の位置と略一致する。
【００５８】
［第３実施形態の効果］
以上説明した本実施形態に係る生体情報測定装置によれば、生体情報測定装置１Ｂと同様の効果を奏することができる他、以下の効果を奏することができる。
封止部７６における接触面７６１は、平面である。これによれば、生体情報検出センサー５Ｃにおける厚さ寸法をより小さくできる。従って、生体情報検出センサー５Ｃの一層の薄型化を図ることができ、ひいては、生体情報検出センサー５Ｃが採用された生体情報測定装置の一層の薄型化を図ることができる。
なお、図１０に示した例では、生体情報検出センサー５Ｃは、発光部７３及び受光部７４を有するとしたが、発光部５３及び受光部５４を有する構成としてもよい。
【００５９】
［実施形態の変形］
本発明は、上記各実施形態に限定されるものではなく、本発明の目的を達成できる範囲での変形、改良等は本発明に含まれるものである。
上記第１及び第２実施形態では、封止部５６の接触面５６１は凸曲面であり、上記第３実施形態では、封止部７６の接触面７６１は平面であるとした。しかしながら、これに限らず、封止部において光の出射方向側の面の形状は、他の形状であってもよい。
例えば、接触面５６１，７６１は、凹曲面であってもよい。接触面５６１，７６１が凹曲面である場合、発光部５３，７３から出射された光を封止部５６，７６外に拡散させやすくすることができ、封止部５６，７６に入射される光を受光部５４，７４に集光しやすくすることができる。
このように、接触面５６１，７６１の形状や曲率を変更することにより、生体情報検出センサーの用途に応じて、発光部５３，７３から出射された光を生体に効果的に照射できる他、生体から入射される光を効率よく受光部５４，７４に入射させることができる。
【００６０】
上記各実施形態では、コネクター５７及び複数の素子５８は、基板５１においてセンサー部５２Ａ〜５２Ｃが位置する実装面５１Ａに配設されるとした。すなわち、基板５１に配設される全ての構成は、実装面５１Ａに配設されるとした。しかしながら、これに限らず、基板５１に配設される複数の構成部品のうち、センサー部５２Ａ〜５２Ｃを除く少なくとも１つの構成部品は、実装面５１Ａとは反対側の面５１Ｂに配設されていてもよい。
【００６１】
上記第１実施形態では、センサー部５２Ａは、２つの発光部５３Ａ，５３Ｂ及び１つの受光部５４を有するとし、上記第２及び第３実施形態では、センサー部５２Ｂ，５２Ｃは、２つの発光部７３Ａ，７３Ｂ及び１つの受光部７４を有するとした。しかしながら、これに限らず、発光部の数及び受光部の数は、適宜変更可能である。例えば、１つの受光部に対して１つの発光部が設けられていてもよく、３以上の発光部が設けられていてもよい。また、１つの発光部に対して２以上の受光部が設けられていてもよい。
更に、それぞれ少なくとも１つの発光部及び受光部の組が複数設けられていてもよい。この場合、複数の封止部によって組毎に封止されていてもよい。
また、発光部及び受光部のレイアウトは適宜変更可能であり、例えば、複数の発光部が＋Ｘ方向に離間して配設されていてもよい。
【００６２】
上記第２及び第３実施形態では、センサー部５２Ｂ，５２Ｃは、それぞれベアチップである発光部７３及び受光部７４を有するとした。しかしながら、これに限らず、発光部及び受光部のいずれかがベアチップであってもよい。例えば、センサー部は、ベアチップである発光部７３と、パッケージ化された受光部５４との組合せを有する構成としてもよく、パッケージ化された発光部５３と、ベアチップである受光部７４との組合せを有する構成としてもよい。更に、センサー部が複数の発光部を有する場合には、複数の発光部の全てがベアチップにより構成されていてもよく、一部の発光部がベアチップにより構成され、他の発光部がパッケージ化されたチップにより構成されていてもよい。同様に、センサー部が複数の受光部を有する場合には、複数の受光部の全てがベアチップにより構成されていてもよく、一部の受光部がベアチップにより構成され、他の受光部がパッケージ化されたチップにより構成されていてもよい。
また、基板５１は、リジッド基板としたが、フレキシブルプリント基板（ＦＰＣ）であってもよい。
【００６３】
上記各実施形態では、遮光部５５は、受光部５４，７４を囲む矩形枠状に形成されているとした。しかしながら、これに限らず、遮光部５５の形状は、環状であってもよく、矩形以外の多角形状であってもよい。
また、遮光部５５は、受光部５４，７４を囲む形状でなくてもよい。すなわち、発光部と受光部との間に遮光部が位置し、発光部から出射されて受光部に直接入射する光を遮蔽できれば、遮光部の形状は適宜変更可能である。例えば、発光部及び受光部をそれぞれ１つずつ有するセンサー部において、これら発光部及び受光部の間に遮光部があれば、受光部から発光部に向かう方向とは異なる方向に遮光部（遮蔽部）は無くてもよい。また、遮光部の一部に隙間があってもよく、複数の遮蔽部（遮光部）に分断されていてもよい。
【００６４】
上記各実施形態では、遮光部５５における＋Ｚ方向側（基板５１からの突出方向側）の先端部の位置は、接触面５６１，７６１の位置と一致するとした。しかしながら、これに限らず、遮光部５５における先端部の位置は、適宜変更可能である。なお、上記のように、遮光部の先端部は、発光部より＋Ｚ方向側（光出射側）に位置することが好ましい。
【００６５】
上記各実施形態では、処理基板３には、測定装置に作用する加速度を検出する加速度センサーが設けられているとした。しかしながら、これに限らず、処理基板３に加速度センサーは設けられていなくてもよく、また、設けられている場合でも、処理基板３以外の構成に設けられていてもよい。例えば、生体情報検出センサーの基板に加速度センサー等の他のセンサーが設けられていてもよい。更に、生体情報測定装置は、位置情報を計測可能な位置センサー（例えばＧＰＳセンサー）を備えていてもよい。
【００６６】
上記各実施形態では、生体情報検出センサー５Ａ〜５Ｃは、生体情報の１つである脈波を検出し、処理基板３は、センサー５Ａ〜５Ｃから出力された脈波信号に基づいて、生体情報の他の１つである脈拍数を決定するとした。すなわち、上記した生体情報測定装置は、脈波及び脈拍数を生体情報として測定するとした。しかしながら、これに限らず、本発明の生体情報検出センサー及び生体情報測定装置が検出及び測定可能な生体情報は、脈波及び脈拍数に限定されない。例えば、ＨＲＶ（Heart Rate Variability）、ＲＲＩ（R-R Interval：脈拍間隔）、血圧、血糖値、活動量や消費カロリー、最大酸素摂取量（ＶＯ２ｍａｘ）等の他の生体情報を測定する生体情報測定装置に本発明を適用してもよい。
【００６７】
上記各実施形態では、生体情報検出センサー５Ａ〜５Ｃは、生体情報を測定する生体情報測定装置１Ａ，１Ｂに採用されるとした。しかしながら、上記した生体情報検出センサーが採用される機器は、生体情報の測定に特化した測定装置に限定されない。すなわち、生体情報検出センサーが採用される機器は、上記測定装置１Ａ，１Ｂの構成に限定されず、例えば時計等の他の機器に採用されてもよい。
【符号の説明】
【００６８】
１Ａ，１Ｂ…生体情報測定装置、２…ハウジング、２Ａ…フロントケース、２Ｂ…リアケース、２Ｂ１…面、２１…正面部、２２…背面部、２２１…開口部、２２２…配置部、２２２Ａ…底部、２２３〜２２５…凹部、３…処理基板、４…電池、５Ａ〜５Ｃ…生体情報検出センサー、５１…基板、５１１…凹部、５１Ａ…実装面、５１Ｂ…面、５２Ａ〜５２Ｃ…センサー部、５３，７３…発光部、５３Ａ，５３Ｂ，７３Ａ，７３Ｂ…発光部（第１発光部、第２発光部）、５４，７４…受光部、５５…遮光部、５５１…第１遮蔽部、５５１１…先端部、５５２…第２遮蔽部、５５２１…先端部、５６，７６…封止部、５６１，７６１…接触面（発光部から出射された光が外部に出射される面）、５７…コネクター、５８…素子、６…接続部材、ＤＰ…表示部、ＧＰ…隙間。
【図１】
2019136441.tif 000003
【図２】
2019136441.tif 000004
【図３】
2019136441.tif 000005
【図４】
2019136441.tif 000006
【図５】
2019136441.tif 000007
【図６】
2019136441.tif 000008
【図７】
2019136441.tif 000009
【図８】
2019136441.tif 000010
【図９】
2019136441.tif 000011
【図１０】
2019136441.tif 000012